(57)【特許請求の範囲】
【請求項１】
スキー板とブーツとの間に取り付けるスキーアイゼンであって、
上面（１１）と当該上面と連設した一方の側面及び他方の側面とからなるアイゼン基体と、
前記アイゼン基体の上面と結合し前記アイゼン基体よりも前方に延びる薄板弾性体と、
からなり、
当該アイゼン基体には、
前記一方の側面下端部に位置する一方の側面爪部（１２３）と、
前記一方の側面爪部の前方位置から前記一方の側面の前方上端部位置へと向かう滑らかな弧状部分と、
当該弧状部分に位置し、前記一方の側面の外側方向に向かって連設する一方の側面雪面滑動部（１２４）と、
前記他方の側面下端部に位置する他方の側面爪部（１３３）と、
前記他方の側面爪部の前方位置から前記他方の側面の前方上端部位置へと向かう滑らかな弧状部分と、
当該弧状部分に位置し、前記他方の側面の外側方向に向かって連設する他方の側面雪面滑動部（１３４）と、
を有するテレマークスキー専用のスキーアイゼン。
【請求項２】
前記一方の側面雪面滑動部（１２４）及び前記他方の側面雪面滑動部（１３４）の形状について、中央部が幅広で後端部が幅狭である請求項１のテレマークスキー専用のスキーアイゼン。
【請求項３】
前記アイゼン基体の上面と前記薄板弾性体とを結合する蝶番（３０２）を備え、前記薄板弾性体を前記アイゼン基体の内側方向に折り畳む様に前記蝶番が可動することにより当該スキーアイゼンをスキー板から外して携帯する場合に便利である請求項１又は請求項２のテレマークスキー専用のスキーアイゼン。
【発明の詳細な説明】
【技術分野】
【０００１】
本願発明は、テレマークスキー専用のスキーアイゼンに関するものである。
【背景技術】
【０００２】
テレマークスキーを装着し雪山を登高する場合に、スキー板の底面にシール部材を貼付等して、スキー板の後滑り等を防止する。
【０００３】
また、シール部材のみでは後滑り等を防止することが困難な場面（接地斜面の上り角度が急である場合、接地面が硬い場合など）では、スキー板にスキーアイゼンを取り付けてスキー板の後滑り等を防止する。
【０００４】
ところで、スキーアイゼンには、スキー板の前方部分又は後方部分にネジなどで直接取り付けるスキーアイゼン（特許文献１、特許文献２）や、ブーツの下に取り付けるスキーアイゼンなどが存在する。
【０００５】
また、特定のビンディングにのみ取り付け可能な特定ビンディング専用のスキーアイゼンも存在する。
【先行技術文献】
【特許文献】
【０００６】
【特許文献１】実開平３−７３１８０号公報
【特許文献２】登録実用３００２８３９号公報
【発明の概要】
【発明が解決しようとする課題】
【０００７】
従来のスキーアイゼンをテレマークスキーに装着し雪山を直進登高すると、スキー板に取り付けたスキーアイゼンの爪部分が接地面（雪面又は氷面）に引っ掛かったり、スキーアイゼンの前方端面部分に雪の抵抗を大きく受けたりするため、直進登高がスムーズに行えず不便であった。
【０００８】
上述の様な不便を回避するためには、スキー板を上方に高く持ち上げて登高せざるを得なかった。
【０００９】
しかし、スキー板を上方に高く持ち上げて登高を続けることは体力を著しく消耗させる。雪山での体力の消耗は、単なる疲労に止まらず生命の危機にもつながるため出来るだけ回避すべき事項である。
【００１０】
そこで、スキーアイゼンをテレマークスキーに装着し雪山を直進登高するときに、スキー板を上方に高く持ち上げて登高をしなくても、スキー板に取り付けたスキーアイゼンの爪部分が接地面（雪面又は氷面）に引っ掛かったり、スキーアイゼンの前方端面部分に雪の抵抗を大きく受けることなく、スムーズな登高が行えるスキーアイゼンを提供することを課題とした。
【００１１】
また、スキーアイゼンをテレマークスキーに装着し雪山斜面に停止をしているときに、スキー板の後滑りを防止するグリップ力を増大させるスキーアイゼンを提供することを課題とした。
【課題を解決するための手段】
【００１２】
本願発明は、上述の課題を解決するために、スキー板とブーツとの間に取り付けるスキーアイゼンであって、上面と当該上面と連設した一方の側面及び他方の側面とからなるアイゼン基体と、前記アイゼン基体の上面と結合し前記アイゼン基体よりも前方に延びる薄板弾性体と、からなり、当該アイゼン基体には、前記一方の側面下端部に位置する一方の側面爪部と、前記一方の側面爪部の前方位置から前記一方の側面の前方上端部位置へと向かう滑らかな弧状部分と、当該弧状部分に位置し、前記一方の側面の外側方向に向かって連設する一方の側面雪面滑動部と、前記他方の側面下端部に位置する他方の側面爪部と、前記他方の側面爪部の前方位置から前記他方の側面の前方上端部位置へと向かう滑らかな弧状部分と、当該弧状部分に位置し、前記他方の側面の外側方向に向かって連設する他方の側面雪面滑動部と、を有するテレマークスキー専用のスキーアイゼンを提供する。
【００１３】
また、本願発明は、上述の課題を解決するために、スキー板とブーツとの間に取り付けるスキーアイゼンであって、上面と当該上面と連設した一方の側面及び他方の側面とからなるアイゼン基体と、前記アイゼン基体の上面と結合し前記アイゼン基体よりも前方に延びる薄板弾性体と、からなり、当該アイゼン基体には、前記一方の側面下端部に位置する一方の側面爪部と、前記一方の側面爪部の前方位置から前記一方の側面の前方上端部位置へと向かう滑らかな弧状部分と、当該弧状部分に位置し、前記一方の側面の外側方向に向かって連設する一方の側面雪面滑動部と、前記他方の側面下端部に位置する他方の側面爪部と、前記他方の側面爪部の前方位置から前記他方の側面の前方上端部位置へと向かう滑らかな弧状部分と、当該弧状部分に位置し、前記他方の側面の外側方向に向かって連設する他方の側面雪面滑動部と、を有し、前記側面雪面滑動部の形状について、中央部が幅広で後端部が幅狭であるテレマークスキー専用のスキーアイゼンを提供する。
【００１４】
また、本願発明は、上述の課題を解決するために、スキー板とブーツとの間に取り付けるスキーアイゼンであって、上面と当該上面と連設した一方の側面及び他方の側面とからなるアイゼン基体と、前記アイゼン基体の上面と蝶番を介して結合し前記アイゼン基体よりも前方に延びる薄板弾性体と、からなり、当該アイゼン基体には、前記一方の側面下端部に位置する一方の側面爪部と、前記一方の側面爪部の前方位置から前記一方の側面の前方上端部位置へと向かう滑らかな弧状部分と、当該弧状部分に位置し、前記一方の側面の外側方向に向かって連設する一方の側面雪面滑動部と、前記他方の側面下端部に位置する他方の側面爪部と、前記他方の側面爪部の前方位置から前記他方の側面の前方上端部位置へと向かう滑らかな弧状部分と、当該弧状部分に位置し、前記他方の側面の外側方向に向かって連設する他方の側面雪面滑動部と、を有し、前記側面雪面滑動部の形状について、中央部が幅広で後端部が幅狭であり、携帯する場合に便利であるテレマークスキー専用のスキーアイゼンを提供する。
【発明の効果】
【００１５】
本願発明のスキーアイゼンは、テレマークスキーに装着し雪山を直進登高するときに、ブーツの前方に加重をかけながらかかとを上げつつスキー板を前方に滑らす動作をすることにより、スキー板に取り付けたスキーアイゼンの爪部分が上部方向に移動（浮上）するとともに、スキー板に取り付けたスキーアイゼンの一方の及び他方の側面雪面滑動部が接地面（雪面又は氷面）に接しスムーズに滑動するため、スキーアイゼンの爪部分が接地面（雪面又は氷面）に引っ掛かることやスキーアイゼンの前方端面部分に雪の抵抗を大きく受けることを防止することができスムーズな登高が行える。
【００１６】
また、本願発明のスキーアイゼンは、テレマークスキーに装着し雪山斜面に停止をしているときに、左右のアイゼンの爪部分が接地面（雪面又は氷面）に突き刺さるとともに、左右の側面後滑り防止フィンが後方の雪面を押圧するのでスキー板の後滑りを防止するグリップ力を増大させる。
【００１７】
また、本願発明のスキーアイゼンは、テレマークスキーに装着し雪山を直進登高するときに、ブーツの前方に加重をかけながらかかとを上げつつスキー板を前方に滑らす動作をしたときに、スキー板に取り付けたスキーアイゼン基体全体が上部方向に移動（浮上）するとともに、スキー板に取り付けたスキーアイゼンの一方及び他方の側面雪面滑動部が接地面（雪面又は氷面）に接しスムーズに滑動するため、スキーアイゼン基体の側面後方下端部に加工した爪部分が接地面（雪面又は氷面）に引っ掛かることやスキーアイゼンの側面前方端面部分に雪の抵抗を大きく受けることを防止することができスムーズな登高が行える。
【００１８】
また、本願発明のスキーアイゼンは、スキー板とブーツとの間に薄板弾性体を挟む構造を採択しているため、特定のビンディングメーカに限定されることなく、様々なメーカのビンデインクに取り付けることが可能となる。
【００１９】
また、本願発明のスキーアイゼンは、スキー板とブーツとの間に薄板弾性体を挟む構造を採択しているため、スキー板への取り付けが容易である。
【図面の簡単な説明】
【００２０】
【図１】図１は、実施例１のスキーアイゼンの左側面図である。
【図２】図２は、実施例１のスキーアイゼンを上から見た平面図である。
【図３】図３は、実施例１のスキーアイゼンの右側面図である。
【図４】図４は、実施例１のスキーアイゼンを前方側（図３で示す左側）から見た図である。
【図５】図５は、テレマークスキーに実施例１のスキーアイゼンを取り付け、斜面に停止している状態を示すイメージ図である。
【図６】図６は、テレマークスキーに実施例１のスキーアイゼンを取り付け、斜面を直進登高している状態を示すイメージ図である。
【図７】図７は、実施例２のスキーアイゼンを上から見た平面図である。
【図８】図８は、実施例２のスキーアイゼンの右側面図である。
【図９】図９は、実施例２のスキーアイゼンを前方側（図７で示す左側）から見た図である。
【図１０】図１０は、テレマークスキーに実施例２のスキーアイゼンを取り付け、斜面に停止している状態を示すイメージ図である。
【図１１】図１１は、テレマークスキーに実施例２のスキーアイゼンを取り付け、斜面を直進登高している状態を示すイメージ図である。
【図１２】図１２は、実施例２のスキーアイゼンを折り畳んでいる状態を示す右側面図である。
【発明を実施するための形態】
【００２１】
本願発明のスキーアイゼンをスキー板とブーツとの間に取り付けて使用する。
【実施例１】
【００２２】
まずは、実施例１のスキーアイゼンの構成について、図１から図４に従い説明する。
【００２３】
実施例１のスキーアイゼン（１）は、上面（１１）と、当該上面（１１）を折り曲げて成形することにより連設した右側面（１２）及び左側面（１３）とからなる断面略逆Ｕ字形状のアイゼンベース（１０）と、前記アイゼンベースの上面（１１）と結合することにより前記アイゼンベース（１０）よりも前方（図１から図３に示す左側）に延設したプレート（２０）と、前記アイゼンベース（１０）と前記プレート（２０）とを結合する４本のリベット（３０、３０１）とからなる。
【００２４】
前記アイゼンベースの上面（１１）と右側面（１２）及び左側面（１３）との連設形態は、連続的に設置、接合又は成形し一体化されていれば良いが、前記アイゼンベース（１０）の強度や当該スキーアイゼンの重量などを考慮すると、前記アイゼンベースの上面（１１）を折り曲げ成形することが好ましい。
【００２５】
なお、前記アイゼンベース（１０）の厚み及び材質は、３．０ｍｍのアルミを使用しているが、当該スキーアイゼンの重量や強度等を考慮し適宜設計変更をし得る。
【００２６】
なお、前記アイゼンベースの上面（１１）の中央付近には、台形状の上面孔（１１２ｈ）を設けているが、当該スキーアイゼンの重量や雪の通り抜け状況などを考慮し適宜設計変更をし得る。
【００２７】
前記アイゼンベースの右側面（１２）には、後方下端部（図３で示す右下端部）に位置し、接地面（雪面又は氷面）に突き刺さる３つの右側面爪部（１２３）を有する。
【００２８】
前記アイゼンベースの右側面（１２）には、前記右側面爪部（１２３）の前方位置から前記右側面（１２）の前方上端部位置（図３で示す左上端部位置）へと向かう滑らかな弧状部分に位置し、前記右側面（１２）の外側方向（図３で示す手前方向）に向かって折り曲げ成形により連設した突片である右側面雪面滑動部（１２４）を有する。
【００２９】
前記右側面（１２）と右側面雪面滑動部（１２４）との連設形態は、前記右側面（１２）の外側方向（図３で示す手前方向）に向かって連続的に設置、接合又は成形し一体化されていれば良いが、前記右側面雪面滑動部（１２４）の強度や当該スキーアイゼンの重量などを考慮すると、前記右側面（１２）を外側方向に向かって折り曲げ成形することが好ましい。
【００３０】
前記アイゼンベースの右側面（１２）には、最後方縁端部（図３で示す最右縁端部）に位置し、前記右側面（１２）の外側方向（図３で示す手前方向）に向かって折り曲げ成形により連設した突片である右側面後滑り防止フィン（１２５）を有する。
【００３１】
前記右側面（１２）と右側面後滑り防止フィン（１２５）との連設形態は、前記右側面（１２）の外側方向（図３で示す手前方向）に向かって連続的に設置、接合又は成形し一体化されていれば良いが、前記右側面後滑り防止フィン（１２５）の強度や当該スキーアイゼンの重量などを考慮すると、前記右側面（１２）を外側方向に向かって折り曲げ成形することが好ましい。
【００３２】
前記アイゼンベースの右側面（１２）には、中央部付近に位置し、縦長略長方形形状である２つの右側面孔（１２２ｈ）を有する。
【００３３】
前記アイゼンベースの左側面（１３）には、後方下端部（図１で示す右上端部）に位置し、接地面（雪面又は氷面）に突き刺さる３つの左側面爪部（１３３）を有する。
【００３４】
なお、前記左側面爪部（１３３）の形状は、前記右側面爪部（１２３）と対称である。
【００３５】
前記アイゼンベースの左側面（１３）には、前記左側面爪部（１３３）の前方位置から前記左側面（１３）の前方上端部位置（図１で示す左下端部位置）へと向かう滑らかな弧状部分に位置し、前記左側面（１３）の外側方向（図１で示す手前方向）に向かって折り曲げ成形により連設した突片である左側面雪面滑動部（１３４）を有する。
【００３６】
前記左側面（１３）と左側面雪面滑動部（１３４）との連設形態は、前記左側面（１３）の外側方向（図１で示す手前方向）に向かって連続的に設置、接合又は成形し一体化されていれば良いが、前記左側面雪面滑動部（１３４）の強度や当該スキーアイゼン（１）の重量などを考慮すると、前記左側面（１３）を外側方向に向かって折り曲げ成形することが好ましい
【００３７】
なお、前記左側面雪面滑動部（１３４）の形状は、前記右側面雪面滑動部（１２４）と対称である。
【００３８】
前記アイゼンベースの左側面（１３）には、最後方縁端部（図１で示す最右縁端部）に位置し、前記左側面（１３）の外側方向（図１で示す手前方向）に向かって折り曲げ成形により連設した突片である左側面後滑り防止フィン（１３５）を有する。
【００３９】
前記左側面（１３）と左側面後滑り防止フィン（１３５）との連設形態は、前記左側面（１３）の外側方向（図１で示す手前方向）に向かって連続的に設置、接合又は成形し一体化されていれば良いが、前記左側面後滑り防止フィン（１３５）の強度や当該スキーアイゼンの重量などを考慮すると、前記左側面（１３）を外側方向に向かって折り曲げ成形することが好ましい。
【００４０】
前記左側面後滑り防止フィン（１３５）の形状は、前記右側面後滑り防止フィン（１２５）と対称である。
【００４１】
前記アイゼンベースの左側面（１３）には、中央部付近に位置し、縦長略長方形形状である２つの左側面孔（１３２ｈ）を有する。
【００４２】
なお、前記左側面孔（１３２ｈ）の形状は、前記右側面孔（１２２ｈ）と対称である。
【００４３】
なお、前記右側面爪部（１２３）及び左側面爪部（１３３）の形状及び爪数は、半円弧を連続させ３つの突出部を成形しているが、接地面（雪面又は氷面）に刺さり後滑り等を防止するといったアイゼンの本来的機能を発揮できれば良く、公知の形状及び爪数にも適宜設計変更をし得る。
【００４４】
なお、前記右側面雪面滑動部（１２４）及び左側面雪面滑動部（１３４）を設ける弧状部分の形状は、前記右側面爪部（１２３）及び左側面爪部（１３３）各々の連続半円弧の終端位置から前記右側面（１２）及び左側面（１３）各々の前方上端部位置に向かう滑らかな弧形状であればよい。
【００４５】
前記右側面雪面滑動部（１２４）及び左側面雪面滑動部（１３４）の長さ、大きさ及び形状は、接地面（雪面又は氷面）と接する部分の長さが３９．５ｍｍで中央部が幅広く両端に近づくほど徐々に幅狭になる形状（図４に示す）であるが、前記右側面雪面滑動部（１２４）及び左側面雪面滑動部（１３４）への氷雪の付着がし難く、かつ、当該スキーアイゼン（１）と接地面（雪面又は氷面）とがスムーズに滑動できれば良く、当該スキーアイゼン（１）の重量や収納性などを考慮し適宜設計変更をし得る。
【００４６】
前記右側面後滑り防止フィン（１２５）及び左側面後滑り防止フィン（１３５）の長さ、大きさ及び形状は、雪面を押圧する上下方向の長さが５５ｍｍで中央部が幅広く上方向又は下方向に向かうほど徐々に幅狭になる形状（図２に示す）であるが、前記右側面後滑り防止フィン（１２５）及び左側面後滑り防止フィン（１３５）が雪面を押圧できれば良く、当該スキーアイゼン（１）の重量や収納性などを考慮し適宜設計変更をし得る。
【００４７】
なお、前記右側面後滑り防止フィン（１２５）及び左側面後滑り防止フィン（１３５）の雪面を押圧する面積が大きいほど、スキー板の後滑りを防止するグリップ力が大きくなる。
【００４８】
なお、前記プレート（２０）の形状は、ビンディングの先端形状に対応した、左右が非対称の６角形状であり、右足用と左足用とでは６角形の各辺間の角度が異なる（図２に示したのは右足用）。
【００４９】
なお、前記プレート（２０）の厚み及び材質は、０．８ｍｍのステンレスを使用しているが、当該スキーアイゼンの重量や当該プレート（２０）の撓み具合等を考慮し適宜設計変更をし得る。
【００５０】
前記プレート（２０）の先端近傍（図２で示す左端近傍）には、３ピン式のビンディングにも取り付けを可能とするために、ビンディングから突出する３本のピンに対応する位置に設けた３つのビンディングピン挿通孔（２０２ｈ）を有する。
【００５１】
前記プレート（２０）の最先端（図２及び図３で示す左端）には、上部方向に向かって垂直に折り曲げて成形した、プレート先端部（２０５）を有する。
【００５２】
なお、前記アイゼンベースの上面（１１）と前記プレート（２０）との結合部材であるリベット（３０、３０１）の配置及び本数は、前記プレート（２０）の後端近傍（図２で示す右端近傍）に４本使用しているが、当該スキーアイゼン（１）の重量や強度などを考慮し適宜設計変更をし得る。
【００５３】
なお、前記アイゼンベースの上面（１１）と前記プレート（２０）との結合部材であるリベット（３０、３０１）の材質は、アルミを使用しているが、当該スキーアイゼンの重量や強度などを考慮し適宜設計変更をし得る。    
【００５４】
次に、実施例１のスキーアイゼンをテレマークスキーに装着し雪山斜面を直進登高および停止している時の動作ついて、図５及び図６に従い説明する。
【００５５】
図５は、スキー板（Ａ）に実施例１のスキーアイゼン（１）を取り付けるとともにブーツ（Ｃ）をビンディング（Ｂ）にセットし、斜面である接地面（Ｄ）に静止している状態を示す。
【００５６】
スキーアイゼンの右側面爪部（１２３）及び左側面爪部が接地面（Ｄ）に突き刺さることにより、スキー板（Ａ）の後滑りを防止する。
【００５７】
さらに、右側面後滑り防止フィン（１２５）及び左側面後滑り防止フィンが雪面を後方に押圧することにより、スキー板（Ａ）の後滑りを防止するグリップ力を増大させている。
【００５８】
前記斜面である接地面（Ｄ）を直進登高するために、ブーツ（Ｃ）の前方に加重をかけながらかかとを上げると、前記プレート（２０）に接地面方向への力が加わる。
【００５９】
前記プレート（２０）に接地面方向への力が加わることにより、前記プレート（２０）が撓みその弾性力により、前記プレート（２０）に結合された前記アイゼンベース（１０）の右側面爪部（１２３）及び左側面爪部が上部方向（反接地面方向）に移動（浮上）する。
【００６０】
一方で、前記アイゼンベース（１０）の右側面雪面滑動部（１２４）及び左側面雪面滑動部は、接地面（Ｄ）上に沿う状態に遷移する。
【００６１】
この状態でスキー板（Ａ）を前方（図６で示す左上方向）に滑らすと、前記右側面雪面滑動部（１２４）及び左側面雪面滑動部が幅広の中央部から幅狭の後端部へと接地面（Ｄ）上をスムーズに滑動する。また、前面からの雪の抵抗を受けると前記右側面雪面滑動部（１２４）及び左側面雪面滑動部が幅狭の後端部から幅広の中央部へと接地面（Ｄ）上をスムーズに滑動する。
【００６２】
上述の動作又は形状及び構造により、スキーアイゼンの爪部分が接地面（雪面又は氷面）に引っ掛かることやスキーアイゼンの前方端面部分に雪面の抵抗を大きく受けることを防止することができスムーズな直進登高が行える。
【００６３】
その後、スキー板（Ａ）を前方に滑らす動作を止め、ブーツ（Ｃ）の前方の加重を弱めながらかかとを下げると、前記プレート（２０）の撓みが戻ると同時に前記ブーツ（Ｃ）の底面が前記アイゼンベースの上面を押下するため、前記アイゼンベース（１０）の右側面爪部（１２３）及び左側面爪部が接地面（Ｄ）に又は接地面（Ｄ）の中に潜り、突き刺さる。
【００６４】
前記スキーアイゼンの右側面爪部（１２３）及び左側面爪部が接地面（Ｄ）に又は接地面（Ｄ）の中に潜り、突き刺さることにより、スキー板（Ａ）の後滑りを防止する。
【００６５】
さらに、右側面後滑り防止フィン（１２５）及び左側面後滑り防止フィンが雪面を後方に押圧することにより、スキー板（Ａ）の後滑りを防止するグリップ力を増大させている。
【００６６】
なお、当該スキーアイゼンは、従来のスキーアイゼンと同様、横方向への滑りをも防止する。
【実施例２】
【００６７】
実施例２のスキーアイゼンは、蝶番を介してアイゼンベースの上面とプレートとを結合したスキーアイゼンであり、その構成について図７から図９に従い実施例１のスキーアイゼンとの変更点のみを説明する。
【００６８】
実施例２のスキーアイゼン（１）は、上面（１１）と、当該上面（１１）を折り曲げて成形することにより連設した右側面（１２）及び左側面（１３）とからなる断面略逆Ｕ字形状のアイゼンベース（１０）と、前記アイゼンベースの上面（１１）と結合することにより前記アイゼンベース（１０）よりも前方（図７及び図８に示す左側）に延設したプレート（２０）と、前記アイゼンベースの上面（１１）と前記プレート（２０）とを結合する１個の蝶番（３０２）と、４本のリベット（３０１）との組合せで構成した結合部材（３０）と、からなる。
【００６９】
前記アイゼンベースの右側面（１２）には、後方下端部（図８で示す右下端部）に位置し、接地面（雪面又は氷面）に突き刺さる４つの右側面爪部（１２３）を有する。
【００７０】
なお、前記右側面爪部（１２３）及び左側面爪部の形状及び爪数は、半円弧を連続させ４つの突出部を成形しているが、接地面（雪面又は氷面）に刺さり後滑り等を防止するといったアイゼンの本来的機能を発揮できれば良く、公知の形状及び爪数にも適宜設計変更をし得る。
【００７１】
前記アイゼンベースの右側面（１２）には、前記右側面爪部（１２３）の前方位置から前記右側面（１２）の前方上端部位置（図８で示す左上端部位置）へと向かう滑らかな弧状部分に位置し、前記右側面（１２）の外側方向（図８で示す手前方向）に向かって折り曲げ成形により連設した突片である右側面雪面滑動部（１２４）を有する。
【００７２】
前記アイゼンベースの右側面（１２）には、最後方縁端部（図８で示す最右縁端部）に位置し、前記右側面（１２）の外側方向（図８で示す手前方向）に向かって折り曲げ成形により連設した突片である右側面後滑り防止フィン（１２５）を有する。
【００７３】
前記アイゼンベースの左側面（１３）は、右側面（１２）と対称であり、右側面（１２）と同じ箇所に同様の変更点がある（図示せず）。
【００７４】
前記プレート（２０）の先端近傍（図７で示す左端近傍）には、３ピン式ビンディングのピン位置に対応した３個のビンディングピン挿通孔（２０２ｈ）を有するが、中央の孔については金属製のフック等を挿通するフック挿通孔を兼ねることを可能とするため、他の２孔よりも大きな角丸四角形状としている。
【００７５】
なお、前記蝶番（３０２）の配置及び個数は、前記アイゼンベースの上面（１１）及び前記プレート（２０）の幅方向中央部に1個配置しているが、当該スキーアイゼンの重量や強度などを考慮し設計変更をし得る。
【００７６】
次に、実施例２のスキーアイゼンをテレマークスキーに装着し雪山斜面を直進登高および停止している時の動作について、図１０及び図１１に従い実施例１のスキーアイゼンとの変更点のみを説明する。
【００７７】
図１０は、スキー板（Ａ）に実施例２のスキーアイゼン（１）を取り付けるとともにブーツ（Ｃ）をビンディング（Ｂ）にセットし、斜面である接地面（Ｄ）に静止している状態を示す。
【００７８】
前記斜面である接地面（Ｄ）を直進登高するために、ブーツ（Ｃ）の前方に加重をかけながらかかとを上げると、前記プレート（２０）に接地面方向への力が加わる。前記プレート（２０）に接地面方向への力が加わることにより、実施例１のスキーアイゼンと同様に、前記プレート（２０）が撓みその弾性力により、前記プレート（２０）に結合された前記アイゼンベース（１０）の右側面爪部（１２３）及び左側面爪部が上部方向（反接地面方向）に移動（浮上）する。一方で、前記アイゼンベース（１０）の右側面雪面滑動部（１２４）及び左側面雪面滑動部は、接地面（Ｄ）上に沿う状態に遷移する。
【００７９】
この状態でスキー板（Ａ）を前方（図１１で示す左上方向）に滑らすと、前記右側面雪面滑動部（１２４）及び左側面雪面滑動部を相対的に押圧する氷雪により、蝶番（３０２）部分を支点としてアイゼンベース（１０）がスムーズにかつ必要な高さ分だけ移動（浮上）するとともに、接地面（Ｄ）上に沿う状態に遷移している前記アイゼンベースの右側面雪面滑動部（１２４）及び左側面雪面滑動部は、接地面（Ｄ）上をスムーズに滑動する。
【００８０】
従って、スキーアイゼンベース（１０）の側面後方下端部に加工した爪部分（１２３等）が接地面（雪面又は氷面）に引っ掛かることが全くなく、またスキーアイゼンベース（１０）の前方端面部分に加工した側面雪面滑動部（１２４等）に雪の抵抗を受けることがほとんどなくなり、スムーズな直進登高が行えるようになった。
【００８１】
なお、その後の登高および停止動作については実施例１のスキーアイゼンと同様であるので省略する。
【００８２】
次に、実施例２のスキーアイゼンをスキー板から外して携帯する場合の動作について図１２に従い説明する。
【００８３】
スキーアイゼン（１）をビンディング及びスキー板から取外す。
【００８４】
取り外したスキーアイゼン（１）のプレート（２０）をアイゼンベース（１０）の内側方向に折り畳む様に、蝶番（３０２）を可動する（折り曲げる）。
【００８５】
前記蝶番（３０２）の折り曲げにより、前記プレート（２０）は、アイゼンベース（１０）の内側方向に折り畳まれる。これによりスキーアイゼン（１）の大きさが縮小されるため、当該スキーアイゼンをスキー板から外して携帯する場合に非常に便利である。
【００８６】
なお、折り畳まれ縮小した当該スキーアイゼンは、アイゼンケース又はアイゼン袋などに収容し携帯されることと想定する。
【産業上の利用可能性】
【００８７】
本願発明のテレマークスキー専用のスキーアイゼンは、直進登高性能及び後滑り防止性能等を飛躍的に向上させるとともに、取り付けも容易で、かつ、汎用性にも優れているので、産業上の利用性を有する。
【符号の説明】
【００８８】
１            スキーアイゼン
１０          アイゼンベース（アイゼン基体）
１１          アイゼンベースの上面
１１２ｈ      アイゼンベースの上面孔
１２          アイゼンベースの右側面
１２２ｈ      アイゼンベースの右側面孔
１２３        アイゼンベースの右側面爪部
１２４        アイゼンベースの右側面雪面滑動部
１２５        アイゼンベースの右側面後滑り防止フィン
１３          アイゼンベースの左側面
１３２ｈ      アイゼンベースの左側面孔
１３３        アイゼンベースの左側面爪部
１３４        アイゼンベースの左側面雪面滑動部
１３５        アイゼンベースの左側面後滑り防止フィン
２０          プレート（薄板弾性体）
２０２ｈ      ビンディングピン挿通孔
２０５        プレート先端部
３０          結合部材
３０１        リベット
３０２        蝶番
Ａ            スキー板
Ｂ            ビンディング
Ｃ            ブーツ
Ｄ            接地面（雪面又は氷面）
【図１】
0005712039.tif 000002
【図２】
0005712039.tif 000003
【図３】
0005712039.tif 000004
【図４】
0005712039.tif 000005
【図５】
0005712039.tif 000006
【図６】
0005712039.tif 000007
【図７】
0005712039.tif 000008
【図８】
0005712039.tif 000009
【図９】
0005712039.tif 000010
【図１０】
0005712039.tif 000011
【図１１】
0005712039.tif 000012
【図１２】
0005712039.tif 000013